(57)【要約】      （修正有）【課題】マッサージと保温機能を備える靴を提供する。【解決手段】マッサージと保温機能を備える靴は、靴底アセンブリ１０を備え、靴底アセンブリ１０は中空状で、しかも一定の厚みを備え、足裏と接触する上表面を備え、上表面には溝１２と突起１３を設置し、足裏に対するマッサージ効果を生じ、靴底アセンブリ１０内には弾性支柱を備え、これにより靴底アセンブリ１０はエアチューブとなり、振動を吸収する効果を発揮する。また、靴底アセンブリ１０の底面の大凹穴には電池２を設置し、小凹穴中には振動部品３を設置し、振動部品３はモーター、偏心振動ローターを備え、これにより偏心振動ローターは靴底アセンブリ１０の上表面の内面と接触し、電動マッサージの効果を形成する。さらに、靴底アセンブリ１０中には加熱コイル５を設置し、電池２及び加熱切換スイッチと連接し、加熱効果を生じる。【選択図】図１
0003173852.tif 000002
【実用新案登録請求の範囲】
【請求項１】
靴底アセンブリを備え、
前記靴底アセンブリは、中空状で、しかも一定の厚みを備え、足裏と接触する上表面を備え、
前記上表面には、溝と突起を設置し、足裏に対するマッサージ効果を生じ、
しかも、前記靴底アセンブリ内には、複数の弾性支柱を備え、これにより前記靴底アセンブリは、エアチューブとなり、振動吸収する効果を発揮し、
前記靴底アセンブリの底面の後方部分には、大凹穴を備え、前記大凹穴には、電池を設置し、
前記靴底アセンブリ底面の中ほどには、少なくとも1個の小凹穴を設置し、前記小凹穴中には、振動部品を設置し、前記振動部品は、電線により、前記電池、及びマッサージ切換スイッチと連接し、
前記マッサージ切換スイッチは、靴の側面位置に設置し、
前記振動部品は、モーター、偏心振動ローターを備え、これにより前記偏心振動ローターは、前記靴底アセンブリの上表面の内面と接触し、電動マッサージの効果を形成し、
前記靴底アセンブリ中には、複数のチャンネルを設置し、これに加熱コイルを嵌めて設置し、前記加熱コイルは、電線により、前記電池及び加熱切換スイッチと連接し、
前記加熱切換スイッチは、靴の側面位置において、加熱効果を生じ、前記上表面には、複数の通気孔を設置することを特徴とするマッサージと保温機能を備える靴。
【考案の詳細な説明】
【技術分野】
【０００１】
本考案はマッサージと保温機能を備える靴に関し、特にベンチレーションシステム靴底が電動マッサージと保温の効果を兼ね備える組合せ式構造であるマッサージと保温機能を備える靴に関する。
【背景技術】
【０００２】
従来のベンチレーションシステム靴は、靴底のかかと位置に、エアチューブ状のクッション体、或いは液体チューブ状のクッション体を設置し、さらに弾性部品を設置し、弾性を増進している。この種の構造は、足の後側にあたる部位を改良したもので、実用性を備えるが、靴底全体の使用の安定性に影響を及ぼす。本考案出願人は以前、靴の中敷全体を設計し、使用におけるニーズに応える構造を誕生させた。しかし、実際の必要に、さらに符合する製品を開発するという課題に鑑み、本考案を開発した。
【考案の概要】
【考案が解決しようとする課題】
【０００３】
本考案が解決しようとする課題は、靴底アセンブリに振動部品と加熱ユニットを増設し、マッサージと保温の二重、或いは単一の作用を発揮し、これにより足部の血行促進効果を発揮し、長時間の起立、作業、運動により足部に生じる疲労を和らげ、足部の健康を維持できるマッサージと保温機能を備える靴を提供することである。
【課題を解決するための手段】
【０００４】
上記課題を解決するため、本考案は下記のマッサージと保温機能を備える靴を提供する。
靴底アセンブリを備え、
該靴底アセンブリは、中空状で、しかも一定の厚みを備え、足裏と接触する上表面を備え、
該上表面には、溝と突起を設置し、足裏に対するマッサージ効果を生じ、
しかも、該靴底アセンブリ内には、複数の弾性支柱を備え、これにより該靴底アセンブリは、エアチューブとなり、振動吸収する効果を発揮し、
該靴底アセンブリの底面の後方部分には、大凹穴を備え、該大凹穴には、電池を設置し、該靴底アセンブリ底面の中ほどには、少なくとも1個の小凹穴を設置し、該小凹穴中には、振動部品を設置し、該振動部品は、電線により、該電池、及びマッサージ切換スイッチと連接し、
該マッサージ切換スイッチは、靴の側面位置に設置し、
該振動部品は、モーター、偏心振動ローターを備え、これにより該偏心振動ローターは、該靴底アセンブリの上表面の内面と接触し、電動マッサージの効果を形成し、
該靴底アセンブリ中には、複数のチャンネルを設置し、これに加熱コイルを嵌めて設置し、該加熱コイルは、電線により、該電池及び加熱切換スイッチと連接し、加熱効果を生じる。
【考案の効果】
【０００５】
本考案のマッサージと保温機能を備える靴は、靴底アセンブリに振動部品と加熱ユニットを増設し、マッサージと保温の二重、或いは単一の作用を発揮し、これにより足部の血行促進効果を発揮し、長時間の起立、作業、運動により足部に生じる疲労を和らげ、足部の健康を維持することができる。
【図面の簡単な説明】
【０００６】
【図１】本考案の立体図である。
【図２】本考案の立体分解図である。
【図３】本考案靴の一部部品の立体断面図である。
【図４】図３のa部分の拡大図である。
【図５】本考案の断面図である。
【図６】本考案を靴に装置した状態を示す実施図である。
【図７】本考案を靴に未装置の状態を示す実施図である。
【考案を実施するための形態】
【０００７】
以下に図面を参照しながら本考案を実施するための最良の形態について詳細に説明する。
【実施例】
【０００８】
図１〜７に示すように、本考案マッサージと保温機能を備える靴は、靴底アセンブリ１０を備える。靴底アセンブリ１０は、中空状で、しかも一定の厚みを備え、足裏と接触する上表面１１を備える。上表面１１には、溝１２と突起１３を、主に拇指球とかかと部位に備える。これにより、足裏に対するマッサージと刺激効果を生じ、血行を促進する。しかも、靴底アセンブリ１０内には、弾性支柱１４を備え、これにより靴底アセンブリ１０は、エアチューブとなり、振動を吸収する効果を発揮する。さらに、弾性支柱１４により、柔軟で振動を避け又は吸収し靴底アセンブリ１０を支える効果を達成し、身体的疲労を和らげ、動きをより軽快にし、高い快適感を提供することができる。表面の溝１２は、空気の流れを導く効果を備え、足部の乾燥を確保し、人体工学に符合する効果を達成することができる。靴底アセンブリ１０の底面の後方部分には、大凹穴１５を備える。大凹穴１５には、電池２を設置する。大凹穴１５はまた、外底の後方部分(図示しないが、簡単に置換可能な位置)に設置することもできる。靴底アセンブリ１０底面の中ほどには、少なくとも1個の小凹穴１６を設置する。小凹穴１６中には、振動部品３を設置する。振動部品３は、電線(図を明晰にするため省略。よって図示なし。但し、必須部品であるため、ここに記述する)により、電池２、及びマッサージ切換スイッチ４１と連接する。マッサージ切換スイッチ４１は、靴１の側面位置において、回路板４０上に設置する。振動部品３は、モーター３１、偏心振動ローター３２を備え、これにより偏心振動ローター３２は、靴底アセンブリ１０の上表面１１の内面と接触し、電動マッサージの効果を形成する。こうして、靴底アセンブリ１０は、微小な幅の上下震動を生じる。靴底アセンブリ１０中には、複数のチャンネル１７を設置し、これに加熱コイル５を嵌めて設置する。これにより、加熱コイル５は、各弾性支柱１４間に巻きついて設置でき、均一な発熱を生じることができる。靴底アセンブリ１０上には、複数の通気孔１８を設置する。加熱コイル５は、電線(図示なし)により、電池２及び加熱切換スイッチ４２と連接する。加熱切換スイッチ４２は、靴１の側面位置において、回路板４０上に設置し、高温と低温を選択することができる。加熱切換スイッチ４２は、ボタンによりオン/オフを切り換え、靴底アセンブリ１０において加熱する効果を生じ、約50℃まで加温することができる。これにより、耐熱温度が150℃に達するエアチューブ中の気体は、通気孔１８からあふれて流出し、足裏を暖め、血行を促進することができる。こうして、身体を温め、寒さに対抗し、健康を促進でき、全体的な使用の安全性をも備える。
【０００９】
上記したように、本考案は加熱の効果を運用するため、加熱コイルを増設し、足部の血行不良、或いは寒さに弱い人達に効果的な保温作用を提供することで、血行を促進する効果を達成することができる。別に、振動部品を設置し、軽微な振動により、靴底アセンブリ１０全体のマッサージ効果を拡大し、長時間靴を履く人に、マッサージにより疲れをほぐす効果をいつでも提供することができ、これによっても血行を促進し、仕事の疲れを取ることができる。本考案は上記した２種の機能を兼ね備え、これらは一緒に使用し、或いは単独で使用することもでき、こうして使用者により良い健康効果と使用性能を提供できる従来の構造とは全く違った革新的構造である。
【００１０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１２】
１    靴
１０  靴底アセンブリ
１１  上表面
１２  溝
１３  突起
１４  弾性支柱
１５  大凹穴
１６  小凹穴
１７  チャンネル
１８  通気孔
２    電池
３    振動部品
３１  モーター
３２  偏心振動ローター
４０  回路板
４１  マッサージ切換スイッチ
４２  加熱切換スイッチ
５    加熱コイル
【図１】
0003173852.tif 000003
【図２】
0003173852.tif 000004
【図３】
0003173852.tif 000005
【図４】
0003173852.tif 000006
【図５】
0003173852.tif 000007
【図６】
0003173852.tif 000008
【図７】
0003173852.tif 000009